(57)【要約】      （修正有）【課題】マンホール蓋のように時々には開放されるものの閉鎖が常態とされる蓋の開放作業を司る蓋開放具について、装置構成を大型化させず蓋の開放の困難性を完全に解消できるようにする蓋開放具を提供する。【解決手段】蓋Ｍを跨ぐ長さを有するアーム１と、アーム１の一端部に取付けられ蓋Ｍの周囲の蓋設置面に当接されアーム１を回動可能に支持する支点部２と、アーム１の他端部に取付けられ蓋Ｍの周囲の蓋設置面に設置されたジャッキＪのロッドの伸張を受ける受座３と、アーム１の中途部の他端部寄りに吊持され蓋Ｍのフック用孔Ｍｅに挿入されて係止されるフック４とを備えている。【選択図】図１
0003169599.tif 000002
【実用新案登録請求の範囲】
【請求項１】
蓋を跨ぐ長さを有するアームと、アームの一端部に取付けられ蓋の周囲の蓋設置面に当接されアームを回動可能に支持する支点部と、アームの他端部に取付けられ蓋の周囲の蓋設置面に設置されたジャッキのロッドの伸張を受ける受座と、アームの中途部の他端部寄りに吊持され蓋のフック用孔に挿入されて係止されるフックとを備えていることを特徴とする蓋開放具。
【請求項２】
請求項１の蓋開放具において、アームはフックが吊持された位置よりも一端部寄りで受座を蓋設置面に近接させるようにく字形に屈曲されていることを特徴とする蓋開放具。
【請求項３】
請求項１または２の蓋開放具において、フックは蓋のフック用孔の形状に対応して交換可能であることを特徴とする蓋開放具。
【考案の詳細な説明】
【技術分野】
【０００１】
本考案は、マンホール蓋のように時々には開放されるものの閉鎖が常態とされる蓋の開放作業を司る蓋開放具に係る技術分野に属する。
【背景技術】
【０００２】
閉鎖が常態とされた蓋では、パッキンの劣化やフレーム（蓋受枠）との間への土砂の挟入等によって、フレームに強固に密着してしまうことが起こる。このため、設計上の予定された操作力では、蓋の開放が困難になることがある。そこで、蓋の開放のために大きな操作力を発揮することのできる蓋開放具の開発が要望されている。
【０００３】
従来、蓋の開放のために大きな操作力を発揮することを指向した蓋開放具としては、例えば、特許文献１に記載のものが知られている。
【０００４】
特許文献１には、アーム（レバー）と、アームの一端部に取付けられ蓋のフック用孔に挿入されて係止されるフックと、アームの中途部の一端部寄りに設けられアームを回動可能に支持するキャスタ構造の支点部とを備えた蓋開放具が記載されている。
【０００５】
特許文献１に係る蓋開放具は、フックを蓋のフック用孔に挿入して係止させ、アームの他端部を支点部を支点として回動させることで、てこの原理でフック（蓋）に大きな操作力を作用させ蓋を開放させるものである。
【先行技術文献】
【特許文献】
【０００６】
【特許文献１】特開２００６−１６１４２３号公報
【考案の概要】
【考案が解決しようとする課題】
【０００７】
特許文献１に係る蓋開放具では、支点である支点部から力点であるアームの他端部まである程度の長さが確保されてこの原理が有効に機能するように構成されているものの、作用点であるフックが本来直上に引上げられるように開放される蓋に対して開放方向から大きく傾斜した姿勢で係止されるため、操作力のロスが大きくなって蓋，フレームの強固な密着を確実に解除するに充分な操作力を得ることができず、蓋の開放の困難性が完全には解消されないという問題点がある。
【０００８】
なお、蓋，フレームの強固な密着を確実に解除するに充分な操作力を得るには、人力ではなく外部動力によって力点にアームの回動力を付与することも想到される。然しながら、外部動力をかなり大型にする必要が生じるため、装置構成が大型化してしまうという新たな問題点が生じてしまう。
【０００９】
本考案は、このような問題点を考慮してなされたもので、装置構成を大型化させず蓋の開放の困難性を完全に解消することのできる蓋開放具を提供することを課題とする。
【課題を解決するための手段】
【００１０】
前述の課題を解決するため、本考案に係る蓋開放具は、実用新案登録請求の範囲の各請求項に記載の手段を採用する。
【００１１】
即ち、請求項１では、蓋を跨ぐ長さを有するアームと、アームの一端部に取付けられ蓋の周囲の蓋設置面に当接されアームを回動可能に支持する支点部と、アームの他端部に取付けられ蓋の周囲の蓋設置面に設置されたジャッキのロッドの伸張を受ける受座と、アームの中途部の他端部寄りに吊持され蓋のフック用孔に挿入されて係止されるフックとを備えていることを特徴とする。
【００１２】
この手段では、この原理が有効に機能されるようにアームが蓋を跨ぐ長さを有したアームに第２種のてこ構造でフックが吊持されることで、フックが直上に引上げられるように開放される蓋に対して開放方向にほぼ沿った姿勢で係止され、小型の外部動力であるジャッキによる操作力のロスが小さくなって蓋，フレームの強固な密着を確実に解除するに充分な操作力を得ることができるようになる。
【００１３】
また、請求項２では、請求項１の蓋開放具において、アームはフックが吊持された位置よりも一端部寄りで受座を蓋設置面に近接させるようにく字形に屈曲されていることを特徴とする。
【００１４】
この手段では、アームがく字形に屈曲されることで、アームの耐荷重強度が高められる。
【００１５】
また、請求項３では、請求項１または２の蓋開放具において、フックは蓋のフック用孔の形状に対応して交換可能であることを特徴とする。
【００１６】
この手段では、フックを交換することで、フック用孔の形状の異なる蓋の開放が可能になる。
【考案の効果】
【００１７】
本考案に係る蓋開放具は、この原理が有効に機能されるようにアームが蓋を跨ぐ長さを有したアームに第２種のてこ構造でフックが吊持されることで、フックが直上に引上げられるように開放される蓋に対して開放方向にほぼ沿った姿勢で係止され、小型の外部動力であるジャッキによる操作力のロスが小さくなって蓋，フレームの強固な密着を確実に解除するに充分な操作力を得ることができるようになるため、装置構成を大型化させず蓋の開放の困難性を完全に解消することができる効果がある。
【００１８】
さらに、請求項２として、アームがく字形に屈曲されることで、アームの耐荷重強度が高められるため、かなり重量があったりフレームとの密着度が高い蓋でも確実に開放することができる効果がある。
【００１９】
さらに、請求項３として、フックを交換することで、フック用孔の形状の異なる蓋の開放が可能になるため、汎用性が高くなる効果がある。
【図面の簡単な説明】
【００２０】
【図１】本考案に係る蓋開放具を実施するための形態の側面図であり、（Ａ）に開放前の状態が示され、（Ｂ）に開放後の状態が示されている。
【図２】図１（Ａ）の要部の縦断面図である。
【図３】図２の分解状態の拡大斜視図である。
【図４】図３の一部の交換用部品を示す側面図である。
【図５】図３の一部の収納例を示す斜視図である。
【考案を実施するための形態】
【００２１】
以下、本考案に係る蓋開放具を実施するための形態を図面に基づいて説明する。
【００２２】
この形態では、図１に示すように、道路等からなる蓋設置面Ｅに埋設固定されたリング形のフレーム（蓋受枠）Ｆに嵌合取付けされるマンホール蓋からなる蓋Ｍの開放に適用されるものを示してある。
【００２３】
蓋Ｍは、内周側の中蓋ＭａがパッキンＭｂを介して外周側の外蓋Ｍｃに嵌合され、外蓋ＭｃがパッキンＭｄを介してフレームＦに嵌合取付けされるようになっていて、外蓋Ｍｃが中蓋Ｍａと一体的に上方へ引上げられて開閉されるようになっている。外蓋Ｍｃには、開放用のフック工具が挿入されて係止される溝形のフック用孔Ｍｅが設けられている。
【００２４】
この形態は、図１〜図３に示すように、アーム１，支点部２，受座３，フック４の各部で構成されている。
【００２５】
アーム１は、基板１１ａ，側板１１ｂからなる断面コ字形の金属材で蓋Ｍを跨ぐ長さを有するように長尺に形成されたアーム本体１１を備えている。アーム本体１１は、コ字形の開放側（基板１１ａの反対側）が下方（蓋Ｍ）に向けられて使用されるもので、コ字形の開放側方向へく字形に屈曲されている。アーム本体１１の一端部の側板１１ｂには、支点部２を取付けるための支点部取付孔１２が穿孔されている。アーム本体１１の他端部寄り（く字形の屈曲位置よりも他端部寄りの位置）の基板１１ａには、フック４を取付けるためのフック取付孔１３が穿孔されている。アーム本体１１の内部には、支点部取付孔１２よりも少し他端部寄りの１箇所とフック取付孔１３から少し間隔を介した２箇所に基板１１ａ，側板１１ｂの双方に当接されるスペーサ的な形状の内部補強板１４が固定されている。アーム本体１１の外部には、基板１１ａに支点部取付孔１２を囲む格好で支点部取付孔１２と同径に連通する孔が穿孔された基板補強板１５が固定され、側板１１ｂにく字形の屈曲の前後に渡る格好で側板補強板１６が固定されている。なお、アーム本体１１の他端部には、基板１１ａ，側板１１ｂの側端面に当接される補強を兼ねた閉塞板１７が固定されている。
【００２６】
支点部２は、蓋設置面Ｅに当接される平板形の基板２１に２枚の起立板２２が補強板２３で補強されて相対するように立設され、起立板２２の上部に穿孔された軸孔２４に支軸２５が挿通され抜止ピン２６で抜止めされるようになっている。起立板２２は、アーム１のアーム本体１１の相対する側板１１ｂの外側面に当接され、上端面がアーム１のく字形の屈曲に対応して突出しないように傾斜されている。支軸２５は、アーム１の支点部取付孔１２にも挿通されアーム１のアーム本体１１の側板１１ｂの外側で抜止ピン２６で抜止めされるようになっている。
【００２７】
この支点部２は、基板２１が蓋設置面Ｅに当接され支軸２５でアーム１のアーム本体１１を回動可能に支持することで、てこの支点となる。
【００２８】
受座３は、アーム１のアーム本体１１の他端部の側板１１ｂの下端面に固定された方形の座板３１の下面の４辺縁に短尺板形の枠板３２が固定されてなる。座板３１は、蓋設置面Ｅに設置されたジャッキＪのロッドの伸張を受ける座面となる。枠板３２は、蓋設置面Ｅに設置されたジャッキＪの伸張するロッドの横ずれを防止するストッパとなる。
【００２９】
この受座３は、回動するアーム１のアーム本体１１の他端部に固定的に設けられることで、てこの力点となる。
【００３０】
フック４は、吊ボルト部材４１にフック本体４２が支持されてなる。吊ボルト部材４１は、上部にワッシャ４１ａが嵌合されナット４１ｂが螺合されるネジ部が刻設された吊ボルト本体４１ｃの下部にフック本体４２が連結される断面コ字形の連結片４１ｄが設けられている。吊ボルト本体４１ｃは、アーム１のフック取付孔１３に挿通され基板補強板１５の上方でナット４１ｂが螺合されることで、アーム１のアーム本体１１に吊持される。なお、吊ボルト本体４１ｃの径については、吊ボルト本体４１ｃを遊嵌状態でアーム１のフック取付孔１３に挿通されるように、アーム１のフック取付孔１３の径よりも少し小さく設定される。連結片４１ｄには、フック本体４２を連結する連結ボルト４１ｅが挿通される連結孔４１ｆが穿孔されている。フック本体４２は、蓋Ｍのフック用孔Ｍｅに挿入される棒形の挿入棒４２ａの下端部に蓋Ｍのフック用孔Ｍｅに係止される断面半円形のフック片４２ｂが設けられ、挿入棒４２ａの上端部に吊ボルト部材４１の連結片４１ｄに回動可能に連結されるブロック４２ｃが設けられている。ブロック４２ｃは、吊ボルト部材４１の連結片４１ｄの間に挟入される薄性のブロック片形に形成され、吊ボルト部材４１の連結ボルト４１ｅが挿入される連結孔４２ｄが穿孔されている。
【００３１】
このフック４は、回動するアーム１のアーム本体１１の中途部に吊持されることで、てこの作用点となる。
【００３２】
この形態を使用するには、図１（Ａ）に示すように、蓋Ｍの周囲の蓋設置面Ｅに支点部２の基板２１を当接させて蓋Ｍを跨ぐようにしてアーム１を配設する。
【００３３】
そして、蓋Ｍの周囲の蓋設置面Ｅに設置されたジャッキＪの非伸張状態のロッドをアーム１のアーム本体１１の他端部に位置する受座３の座板３１に当接させる。このとき、好ましくは、アーム１のアーム本体１１のく字形に屈曲した他端部側が水平（蓋Ｍと平行）になるようにする。
【００３４】
続いて、フック４のフック本体４２の挿入棒４２ａ，フック片４２ｂを蓋Ｍのフック用孔Ｍｅに挿入させ係止させる。このとき、フック４のフック本体４２のブロック４２ｃが吊ボルト部材４１の連結片４１ｄに回動可能に連結されているため、吊ボルト部材４１に対してフック本体４２を屈曲させることで、フック本体４２の挿入棒４２ａ，フック片４２ｂを容易に蓋Ｍのフック用孔Ｍｅに挿入させ係止させることができる。
【００３５】
続いて、フック４の吊ボルト部材４１のナット４１ｂを回動締付けして、アーム１のアーム本体１１と蓋Ｍとの間におけるフック４の無用の緩み，屈曲を消失させる。
【００３６】
この後、図１（Ｂ）に示すように、ジャッキＪを駆動する。
【００３７】
ジャッキＪが駆動されると、伸張したロッドが受座３を介してアーム１のアーム本体１１の他端部側を押上げることになる。この結果、アーム１のアーム本体１１が支点部２を支点として回動され、アーム１の回動に伴ってフック４が蓋Ｍを引上げることになる。即ち、蓋Ｍが開放されることになる。
【００３８】
蓋Ｍを引上げるフック４は、本来直上に引上げられるように開放される蓋Ｍに対して開放方向にほぼ沿った姿勢で係止される。従って、ジャッキＪのロッドの押上力が、少ないロスで操作力として作用される。この結果、蓋Ｍ，フレームＦの強固な密着を確実に解除するに充分な操作力を得ることができる。そして、操作力の源として外部動力であるジャッキＪが採用され、アーム１のアーム本体１１に蓋Ｍを跨ぐ長さを確保してこの原理が有効に機能されるようにしていることも、蓋Ｍ，フレームＦの強固な密着を確実に解除するに充分な操作力を得ることに寄与する。なお、アーム１のアーム本体１１に補強構造（く字形の屈曲，内部補強板１４，基板補強板１５，側板補強板１６）が設けられて耐荷重強度が高められているため、かなり重量があったりフレームＦとの密着度が高い蓋Ｍでも確実に開放することができる。
【００３９】
蓋Ｍの開放では、図１（Ｂ）に示すように、フレームＦから一部分を引上げるような格好（少し傾斜する）まで本考案の係る蓋開放具を使用し、その後に蓋Ｍのフック用孔Ｍｅに専用のフック工具を係止させてフレームＦから完全に引上げる開放態様が採られる。即ち、本考案の係る蓋開放具は、蓋Ｍ，フレームＦの強固な密着を解除するための開放具として使用される。なお、本考案の係る蓋開放具によって蓋Ｍ，フレームＦの強固な密着が解除された後には、専用のフック工具で抵抗なく容易に蓋Ｍを完全に解放することが可能になる。また、アーム１のアーム本体１１の回動域が小さいため、ロッドの長い伸張長を期待することができないジャッキＪでも外部動力として有効に機能させることができる。ジャッキＪの採用は、装置構成の大型化を避けることにもなる。
【００４０】
本考案の係る蓋開放具を使用した蓋Ｍの開放では、蓋Ｍの傾斜に伴ってフック４の引上げ方向が少し変化することになるが、フック４の吊持構造に自由度（アーム１のフック取付孔１３とフック４の吊ボルト部材４１の吊ボルト本体４１ｃとの径の差やフック４の吊ボルト部材４１，フック本体４２の回動可能な連結）があるため、フック４に無用の応力が掛かってフックが損傷したり蓋Ｍの開放が困難になったりすることはない。
【００４１】
さらに、この形態では、図４に示すように、フック４のフック本体４２のフック片４２ｂに形状を異ならせたものを交換用部材として用意しておくことで、フック用孔Ｍｅの形状の異なる蓋Ｍの開放が可能になる。この結果、汎用性を高めることができる。
【００４２】
さらに、この形態では、図５に示すように、分解したフック４を袋状，シート状の包装材Ｐで包んでアーム１のアーム本体１１のコ字形の空間に収納してベルトＢで固定するようにすると、非使用時の収納，運搬に便利である。
【００４３】
以上、図示した形態の外に、アーム１のフック取付孔１３を長孔形状とする等により、アーム１のアーム本体１１の長さ方向にフック４の吊持位置を変更できるようにすることも可能である。
【産業上の利用可能性】
【００４４】
本考案に係る蓋開放具は、マンホール蓋以外の広範な蓋類に使用することが可能である。  
【符号の説明】
【００４５】
１            アーム
１１          アーム本体
２            支点部
３            受座
４            フック
Ｅ            蓋設置面
Ｆ            フレーム
Ｊ            ジャッキ
Ｍ            蓋
Ｍｅ          フック用孔
【図１】
0003169599.tif 000003
【図２】
0003169599.tif 000004
【図３】
0003169599.tif 000005
【図４】
0003169599.tif 000006
【図５】
0003169599.tif 000007